(57)【要約】本発明は、遠心ペレット乾燥機であって、スクリーンによって囲まれるロータを収容する筐体を備えており、前記スクリーンは、少なくとも１つの多孔性スクリーン部材を備え、筐体に対してスクリーンを保持するスクリーン支持部によって支えられる、遠心ペレット乾燥機に関する。振動および騒音を避けるために、遠心ペレット乾燥機は、スクリーンの振動を抑制し、および／またはスクリーン振動を筐体から隔離するために少なくとも１つのダンパを備えるスクリーン支持部によって、筐体に対して支えられるスクリーンを備えている。
2019530846.tif 000002
【特許請求の範囲】
【請求項１】
スクリーン（５）によって囲まれるロータ（３）を収容する筐体（２）を備え、前記スクリーン（５）は、少なくとも１つの多孔性スクリーン部材（５ａ、５ｂ、・・・５ｎ）を備え、前記筐体（２）に対して前記スクリーン（５）を保持するスクリーン支持部（２０）によって支えられる遠心ペレット乾燥機であって、前記スクリーン支持部（２０）は、前記スクリーン（５）の振動を抑制し、および／またはスクリーン振動を前記筐体（２）から隔離するための少なくとも１つのダンパ（２４）を備えることを特徴とする、遠心ペレット乾燥機。
【請求項２】
前記スクリーン支持部（２０）は、前記スクリーン（５）から前記筐体（２）まで実質的に放射状に延在する少なくとも１つの支持アーム（２１）を備え、前記支持アーム（２１）は、前記ダンパ（２４）を備える、請求項１に記載の遠心ペレット乾燥機。
【請求項３】
前記ダンパ（２４）は、前記支持アーム（２１）の一部を形成する少なくとも１つのゴム様弾性抑制部材（２５）を備える、請求項２に記載の遠心ペレット乾燥機。
【請求項４】
前記支持アーム（２１）は、長さが調節可能であり、および／または伸縮自在の構成を有し、前記少なくとも１つのダンパ（２４）は、前記支持アーム（２１）の長さを調節する移動を抑制するような構成である、請求項２に記載の遠心ペレット乾燥機。
【請求項５】
前記少なくとも１つの支持アーム（２１）は、前記スクリーン（５）の上部分と底部分の間に配置された前記スクリーン（５）の中央部分を前記筐体（２）に接続する、請求項２に記載の遠心ペレット乾燥機。
【請求項６】
複数の支持アーム（２１）が、共通面に配置されており、および／または前記スクリーン（５）の周囲に星状分布で配置されている、請求項１に記載の遠心ペレット乾燥機。
【請求項７】
奇数個の支持アーム（２１）が設けられ、および／または前記支持アーム（２１）は、支持アーム（２１）の隣接する対の間の角距離が互いに異なっている状態で、前記スクリーン（５）の周囲に非対称分布で配置される、請求項６に記載の遠心ペレット乾燥機。
【請求項８】
前記複数の支持アーム（２１）は、互いに異なる抑制特徴を有するように構成される、請求項６に記載の遠心ペレット乾燥機。
【請求項９】
前記少なくとも１つの多孔性スクリーン部材（５ａ、５ｂ、・・・５ｎ）は、前記筐体（２）に対して前記スクリーン支持部（２０）によって支えられるスクリーンフレーム部材上に取り付けられる、請求項１に記載の遠心ペレット乾燥機。
【請求項１０】
前記スクリーンフレーム部材は、スクリーンキャリアフープ（２２）を備え、その上に、前記多孔性スクリーン部材（５ａ、５ｂ、５ｎ）が少なくとも１つのテンションベルト（２７）によってクランプ止めされており、前記スクリーン支持部（２０）は、前記テンションベルト（２７）によって前記スクリーンキャリアフープ（２２）の上に保持されているか、または前記スクリーンキャリアフープ（２２）に接続するピボットベアリング片によって枢動可能に支えられる、請求項９に記載の遠心ペレット乾燥機。
【請求項１１】
前記少なくとも１つのダンパ（２４）は、前記筐体（２）に接続し、および／または前記筐体（２）の内壁中の凹部に受け入れられるような構成のゴム様弾性ベアリング片を形成する、請求項１０に記載の遠心ペレット乾燥機。
【請求項１２】
前記ダンパ（２４）は、ワッシャープレートによって互いに分割された一連のゴム様抑制要素（２５）を備えており、接続要素を用いることによって互いに接続されている、請求項１に記載の遠心ペレット乾燥機。
【発明の詳細な説明】
【技術分野】
【０００１】
本出願は、２０１６年１０月１４日に出願された同時係属中の米国非仮出願番号第１５／２９３，９９０号に関する権利を有し、これに対する優先権を主張する。
【０００２】
本発明は、遠心ペレット乾燥機であって、スクリーンによって囲まれるロータを収容する筐体を備えており、前記スクリーンは、少なくとも１つの多孔性スクリーン部材を備え、筐体に対してスクリーンを保持するスクリーン支持部によって支えられる、遠心ペレット乾燥機に関する。
【背景技術】
【０００３】
例えば、製造可能なプラスチックペレット、例えば、溶融プラスチックがダイプレートを通って供給され、前記ダイプレートの下流側の水中でカッターヘッドによってペレットへと切断される水中ペレタイザによって製造可能なプラスチックペレットを乾燥させるために、前述の種類の遠心ペレット乾燥機を使用してもよい。切断ペレットは、圧送システム（ｐｉｐｉｎｇ  ｓｙｓｔｅｍ）を通って流れる水によって、切断チャンバから離れるように運ばれる。水−ペレット−スラリーが、このような遠心ペレット乾燥機に供給され、ペレットから水を分離してもよい。このような水中ペレット化プロセスの代替法として、他のプロセスは、このような遠心ペレット乾燥機に供給し、ペレットまたはペレット様の粒子または物質を乾燥させ、水または他の液体から分離することが可能な水−ペレット−スラリーを製造してもよい。
【０００４】
このような遠心ペレット乾燥機において、直立回転軸を中心に回転するロータは、らせん状の経路内の乾燥ロータまで遠心作用によって運ばれながら、ペレットをリフティング要素とロータの周囲にあるスクリーンとの間で跳ね回らせる運搬またはリフティングを行うアームまたは要素を備えていてもよい。水は、孔を有し得るか、および／または篩スクリーンを形成し得るスクリーンを通って分離されてもよく、ペレットは、乾燥機の上側部分に連続的に運ばれてもよく、この場所で、ペレットは、スクリーンによって囲まれたロータが収容される筐体に形成される出口開口部を介して排出されてもよい。
【０００５】
分離した水は、水出口を介して筐体から排出するために、筐体の底部分に集められてもよい。ペレットから残留表面水分をさらに除去するために、乾燥対向空気流を外部排気ファンによって作り出し、筐体のペレット出口の傾斜台を通って、および／またはスクリーンによって囲まれるロータ空間の少なくとも上側部分に、ペレットに対して対向する方向に流してもよい。さらに、前脱水システムは、ロータのローディング領域に水−ペレット−スラリーを供給するために、供給システムの一部を形成してもよい。このような前脱水システムを使用し、スラリーをロータに供給する前に、ペレット状物質の量に対する水の量の比率を調節してもよく、および／またはロータを作用させることなく、水の粗い分離を行ってもよく、このような前脱水システムにおいて、処理水の９５％までの大量の水が、ペレット様物質から分離されてもよい。
【０００６】
ペレットまたはペレット様物質がロータまで運ばれると、遠心力に起因してペレットがスクリーンに衝突し、これによりスクリーンの振動が生じることがある。このようなスクリーンの振動は、少なくとも１つの多孔性スクリーン部材を通って排出される水によっても影響を受けることがあり、さらに、多孔性スクリーン部材に沿って、これを通って流れる対向乾燥機空気流によっても影響を受けることがある。スクリーンの高さおよび多孔性スクリーン部材の固さの制限に起因して、スクリーンの振動および揺れが筐体に伝わる場合があり、それにより、筐体の存在する場所に望ましくない騒音が生じる。この場所に対する騒音発生を減らすために、二重壁筐体の内壁と外壁との間の空間に充填するプラスチックフォームなどの騒音抑制材料を有する筐体を設け、それにより、筐体のためのサンドイッチ構造を形成することが既に示唆されている。しかし、このような筐体を覆うか、または筐体に充填するさらなる騒音抑制材料によって、嵩高い筐体設計が生じ、場所をとってしまう。
【０００７】
さらに、スクリーンは、リフティング部材とスクリーンの内表面との間に十分な空隙が存在しないと、ロータの回転しているリフティング部材と接触する場合があり、このような空隙は、伝播効率に対する影響を避けるために、非常に大きなものとすることはできない。この観点で、このようなスクリーンが、多くは多孔性材料の薄い可撓性シートから作られることを述べることは価値がある。より特定的には、可撓性であり、屈曲可能である板状またはプレート状のスクリーン部材は、弓状またはドラムジャケット状の様式でスクリーンキャリアフープの周囲に配置されてもよい。スクリーン部材は、フープの様式でスクリーンキャリアフープの周囲に配置される位置に隣接する軸方向に延在する末端で、例えば角度の付いた片または保持フランジの形態で対応する保持片を有しており、これらの保持片は、通常、通常の金属製スクリーン部材にしっかりと溶接されているか、または場合により、密にクランプ止めされ、その後、スクリーン部材を互いに対して固定する目的のために固定されている。例えば、米国特許第６，４６７，１８８号、米国特許第６，５０５，４１６号または米国特許第６，４３８，８６６号は、このような遠心乾燥機の円筒形スクリーンを示し、それ自体が平面であるスクリーン部材が、まず、円筒形に巻かれ、保持片がスクリーン部材の縁部にしっかりと溶接され、次いで、ネジ様クランプ止め部材によって一緒に引っ張られる。ペレットのための遠心乾燥機は、さらに、独国出願第４３  ３０  ０７８  Ａ１号から知られており、スクリーンが２つの半円筒形シェルから作られている。さらに、前記スクリーンシート部材は、テンションベルトを用いることによって、環状キャリアフープ上にクランプ止めされてもよい（米国特許第８，３６５，４３０号を参照）。
【発明の概要】
【発明が解決しようとする課題】
【０００８】
従って、本発明の目的は、従来技術の欠点のうち少なくとも１つを回避する、改良された遠心ペレット乾燥機を提供することである。より特定的には、本発明の基礎をなす目的は、嵩高く重い筐体設計を用いることなく騒音発生を減らす、改良された遠心ペレット乾燥機を提供することである。
【０００９】
本発明の基礎をなすさらなる目的は、スクリーンの内表面によって、回転しているリフティング要素と接触する危険性を生じることなく、ロータのリフティング要素とスクリーンとの間に小さな空隙を可能にすることである。
【課題を解決するための手段】
【００１０】
前述の目的の少なくとも１つを達成するために、本発明は、遠心ペレット乾燥機であって、スクリーンの振動を抑制し、および／またはスクリーン振動を筐体から隔離するために少なくとも１つのダンパを備えるスクリーン支持部によって、筐体に対して支えられるスクリーンを備えている、遠心ペレット乾燥機を提供する。スクリーン支持部と連結したこのようなダンパは、スクリーンが顕著に振動し、強く揺れるのを防ぎ、スクリーンの運動エネルギーを散逸させる。このようなダンパは、スクリーンが振動する傾向を顕著に低減し、スクリーンの振動から筐体を隔離する。
【００１１】
より特定的には、スクリーン支持部は、スクリーンから筐体まで実質的に放射状に延在する少なくとも１つの支持アームを備えていてもよく、前記支持アームは、前述のダンパを備えていてもよい。
【００１２】
これらの特徴および他の特徴は、本発明の有利な実施形態を示す以下の記載および図面からさらに明らかになるだろう。図面において、以下のことを示す。
【図面の簡単な説明】
【００１３】
【図１】筐体の内側と、供給圧送部（ｆｅｅｄ  ｐｉｐｉｎｇ）などの内部に配置された構成要素とを示す遠心ペレット乾燥機の模式的な部分断面図であり、他の構成要素をより良く示すために、ロータおよびスクリーンが省略されている。
【図２】ロータの回転軸に沿って切断した図１の遠心乾燥機の断面図であり、リフティング要素を備えるロータと、前記ロータの周囲にあるスクリーンと、筐体に対してスクリーンを支えるさらなる支持アームとが示されている。
【図３】図１および図２の乾燥機のスクリーンの斜視図であり、テンションベルトによってスクリーンキャリアフープに固定されたスクリーン部材が示されている。
【図４】筐体に対してスクリーンを支えるための支持アームの斜視図であり、前記支持アームの一部を形成するゴム様抑制要素が示されている。
【発明を実施するための形態】
【００１４】
嵩高く重い設計の筐体を用いずに騒音の発生を減らし、スクリーンの内表面が回転しているリフティング要素と接触する危険性を生じることなく、ロータのリフティング要素とスクリーンとの間の小さな空隙を可能にするために、遠心ペレット乾燥機は、スクリーンの振動を抑制し、および／またはスクリーン振動を筐体から隔離するための少なくとも１つのダンパを備えるスクリーン支持部によって、筐体に対して支えられるスクリーンを有することが示唆される。スクリーン支持部と連結したこのようなダンパは、スクリーンが顕著に振動し、強く揺れるのを防ぎ、スクリーンの運動エネルギーを散逸させる。このようなダンパは、スクリーンが振動する傾向を顕著に低減し、スクリーンの振動から筐体を隔離する。
【００１５】
より特定的には、スクリーン支持部は、スクリーンから筐体まで実質的に放射状に延在する少なくとも１つの支持アームを備えていてもよく、前記支持アームは、前述のダンパを備えていてもよい。このような支持アームは、スクリーンがスクリーンの長手方向軸に対して横方向および／またはロータの回転軸に対して横方向に移動および／または変形するのを防いでもよく、それにより、スクリーンが振動し、ロータのリフティング要素に接触するのを防ぐ。
【００１６】
前記ダンパは、前記支持アームの一部を形成する少なくとも１つのゴム様弾性抑制部材を備えていてもよい。
【００１７】
前記支持アームは、長さが調節可能であり、および／または伸縮自在の構成を有していてもよく、前記少なくとも１つのダンパは、前記支持アームの長さを調節する移動を抑制するような構成である。前記ダンパは、前述のゴム様弾性抑制部材を備えていてもよい。これに加えて、またはこれに代えて、長さを調節する移動の抑制は、他の様式で、例えば、２つのアーム部材が、このような長さ調節を達成するために互いに対して移動する場合、流量制限手段によって粘性液体を流すことによって、達成されてもよい。
【００１８】
有利なことに、前述のゴム様弾性抑制部材は、筐体またはスクリーンに支持アームを接続するベアリング部品および／またはコネクタ部品を形成してもよい。より特定的には、ゴム様ダンパ要素は、筐体の内壁に形成される凹部に受け入れられることが可能なダンパーブロックを形成してもよく、それにより、以下の二重の機能を達成する。ダンパ要素によって、支持アームを長手方向に調整することができ、同時に、支持アームの間の抑制された固定が達成され得る。
【００１９】
前記少なくとも１つの支持アームは、スクリーンの上部分と底部分の間に配置された中央部分を筐体に接続するように配置されてもよい。
【００２０】
複数の支持アームは、共通面に配置されていてもよく、および／またはスクリーンの周囲に星状分布で配置されていてもよい。
【００２１】
スクリーンの中央部分を保持するか、または支える１つ以上の支持アームは、特に効果的である。通常、振動し、および屈曲／横方向に移動する傾向があるのは中央部分だからである。
【００２２】
共振の影響を避け、スクリーンを通常の揺れ（ｎａｔｕｒａｌ  ｏｓｃｉｌｌａｔｉｏｎ）から保護するために、支持アームの星状分布は、非対称であってもよく、および／または奇数個の支持アームが使用されてもよい。例えば、４つの支持アームが存在する場合、角距離は、隣接する支持アームのそれぞれの対の間が９０°でなくてもよいが、第１支持アームと第２支持アームの間が８０°であり、第２支持アームと第３支持アームの間が１００°、第３支持アームと第４支持アームの間が１１０°、最後に、第４支持アームと第１支持アームの間が７０°であってもよい。３つの支持アームを有する別の例によれば、第１支持アームと第２支持アームの間が１００°、第２支持アームと第３支持アームの間が１２０°、最後に、第３支持アームと第１支持アームの間が１４０°であってもよい。
【００２３】
これに加えて、またはこれに代えて、支持アームは、異なる抑制特徴を有するような構成であってもよく、例えば、支持アームは、互いに異なる弾性係数および／または互いに異なる固さおよび／または互いに異なる長さおよび／または直径などの寸法を有し得る抑制部材を含んでいてもよく、および／または異なる材料から作られていてもよい。
【００２４】
少なくとも１つの多孔性スクリーン部材は、筐体に対してスクリーン支持部によって支えられるスクリーンフレーム部材上に取り付けられてもよい。
【００２５】
より特定的には、前記スクリーンフレーム部材は、スクリーンキャリアフープを備えていてもよく、その上に、前記多孔性スクリーン部材が、少なくとも１つのテンションベルトによってクランプ止めされていてもよく、また、前記スクリーン支持部は、前記テンションベルトによって前記スクリーンキャリアフープ上に保持されてもよい。より特定的には、ピボットベアリング片は、このようなテンションベルトまたはネジなどの他の様式で前記スクリーンキャリアフープに保持されてもよく、前記支持アームは、このようなピボットベアリング片に接続していてもよい。
【００２６】
図１からわかるように、遠心ペレット乾燥機１は、筐体２を備えていてもよく、筐体２は、ロータ３が収容される塔状中央部２ａを備えていてもよい。前記ロータ３は、直立の実質的に垂直な回転軸を有していてもよく、前記回転軸から少なくとも一部が空間的に離れて延在する複数のリフティング要素４を備えていてもよく、このようなリフティング要素４は、ロータ３までペレットを運ぶへらまたはシャベルとして機能する傾斜したリフティング表面を有するように構成されてもよい。
【００２７】
前記ロータ３は、スクリーン５によって囲まれていてもよく、スクリーン５は、ロータ３を囲む円筒形状を有していてもよく、前記スクリーン５は、いくつかのスクリーン部分またはスクリーン要素を備えていてもよい。前記スクリーン５は、少なくとも部分的に、前記スクリーンを通って水を排出することが可能な複数の孔を有する篩状または網状の構造を有していてもよい。
【００２８】
図１からわかるように、ロータ３は、下側部分または底部分で、水−ペレット−スラリーがロータ３に供給されるローディング領域を有していてもよく、前記ローディング領域６は、回転可能なロータ３およびリフティング要素４を囲むロータユニットのベース部分によって形成されてもよい。図２からわかるように、前記ベース部分７は、スクリーン５を接続することができるリング要素またはスリーブ要素を備えていてもよい。
【００２９】
上部分で、筐体２は、乾燥ペレットを排出するための傾斜台を形成し得るペレット出口８を備えていてもよく、このようなペレット出口８は、ロータ３からペレットを実質的に放射状に排出するために、最上部スクリーン部分にある出口開口部に接続していてもよい。
【００３０】
図１によって示されるように、空気流発生器９は、ペレットからの残留水分を除去するのに役立つ乾燥空気流を作り出すために、筐体２の上部に設けられてもよく、このような乾燥空気流は、ペレット出口８を通って筐体２内に流れる対向空気流であるように、および／またはロータ３に沿って筐体下側に、より特定的には、スクリーン５とロータ３との間の内部空間内に流れるように作られてもよい。
【００３１】
図１によって示されるように、筐体２は、水−ペレット−スラリーをロータ３のローディング領域６に供給するために供給システム１０を収容する側方部分２ｂを有していてもよい。より特定的には、前記供給システム１０は、供給圧送部（ｆｅｅｄ  ｐｉｐｉｎｇ）１１を備えていてもよい。
【００３２】
図３からわかるように、スクリーン５は、複数のスクリーン部材５ａ、５ｂ、・・・５ｎで構成されていてもよく、これらはそれぞれ、平坦であるか、またはわずかにあらかじめ弓状になった、特に、あらかじめ巻き取られ、または開始状態で異なる様式で適切に湾曲しており、図に示される弓状物または実質的に円筒形の形状になっている、弾性多孔性スクリーンボードまたはプレートであってもよい。
【００３３】
より特定的には、図３によって示されるようにスクリーン部材５ａ、５ｂ、・・・５ｎは、それぞれ、円筒形ジャケット表面部分を形成してもよい。スクリーン５は、周縁方向で見ると、相互に重なり合い、一緒にスクリーンリングを形成する複数のスクリーン部材５ａ、５ｂ、・・・５ｎで構成されているからである。この観点で、スクリーン５は、周縁方向で見たときだけではなく、軸方向で見たときにも複数のスクリーン部材１０で構成されている。この観点で、図３は、軸方向に分割されており、複数のスクリーン部材５ａ、５ｂ、・・・５ｎからそれぞれ作られる５つのスクリーン部分を示す。
【００３４】
スクリーン部材５ａ、５ｂ、・・・５ｎは、それぞれ、その末端面の末端部分でリング形状のスクリーンキャリアフープ２２の周囲に巻き取られており、共通のスクリーンキャリアフープ２２が、それぞれ２つのスクリーン部分の間に設けられている。
【００３５】
スクリーン部分は、実質的に円筒形に作られていてもよく（すなわち、スクリーン部材が、それぞれのスクリーン部分のジャケット表面を囲む）、複数のスクリーン部材５ａ、５ｂ、・・・５ｎは、それらの軸方向縁部で互いに重なり合っている。
【００３６】
スクリーン部材５ａ、５ｂ、・・・５ｂは、テンションベルトまたはテンションバンド２７によって一緒に保持され、固定されてもよく、テンションベルトまたはテンションバンド２７は、異なって作られるテンション部材によって作られてもよい（例えば、ロープ、ベルトまたはフープの形態で）。本発明の好ましい実施形態によれば、テンションベルト２７は、好ましくは、弾性で可撓性であり、引張耐性がある平らなバンドから作られてもよく、好ましくは、金属から作られてもよい。テンション部材２７は、スクリーンキャリアフープ２２の領域の中でスクリーン部材の周囲を巻くようにスクリーン部材の周囲に置くことができ、テンションベルト２７を締め付けることでスクリーン部材１０をスクリーンキャリアフープ２２にクランプ止めすることができる。この目的のために、工具を用いずに作動させることができ、テンションベルト２７の末端に固定されるクランプ止めレバーの形態の迅速なクランプ止め手段が、テンションベルト２７に設けられてもよい。
【００３７】
その上側末端部分および下側末端部分と共に、スクリーン５は、筐体２の底部分および上部分に接続する入口部材３０および出口部材４０に接続していてもよく、前記入口部材３０は、上述のベース部材７によって形成されてもよく、水−ペレット−スラリーをロータ３に供給可能にしてもよく、一方、出口部材４０は、筐体２の上述の出口８を通り、ロータからペレットを排出することを可能にしてもよい。
【００３８】
前記入口部材３０および出口部材４０は、実質的にリング形状の部材を形成してもよく、その上に、スクリーン５の実質的に円筒形の末端部分が接続していてもよく、スクリーンは、このようなリング部材と特定の重なり部分を有していてもよい。
【００３９】
図２からわかるように、スクリーンは、スクリーン支持部２０を用いることによって筐体２に対してさらに支えられ、スクリーン支持部２０は、複数の支持アーム２１を備えていてもよく、これらの支持アーム２１は、スクリーン５と筐体２との間に星状分布で配置されてもよい。より特定的には、このような支持アーム２１のうち少なくとも２つは、共通面に配置されていてもよく、異なる半径方向でスクリーン５の支持部を設けるように、３つまたは４つ、または４つより多いこのようなアーム２１が設けられてもよい。半径方向は、ロータ３の回転軸に対して横方向および／またはスクリーン５の長手方向軸に対して横方向を意味する。
【００４０】
より特定的には、前記支持アーム２１は、非対称の様式で整列されてもよく、および／または互いに異なる角距離で配置されてもよい。例えば、支持アームが２つしか存在しない場合、このような支持アームは、アーム間に１７０°および１９０°の角度を有するように配置されてもよい。３つの支持アーム２１が存在する場合、このような支持アームは、例えば、１２時の方向、３時の方向および８時の方向に配置されていてもよい。このような非対称配置および／または奇数個の支持アームは、共振振動数での揺れの危険性を減らすのに役立つだろう。
【００４１】
これに加えて、またはこれに代えて、支持アーム２１は、互いに異なる抑制特徴を有するように構成されていてもよい。例えば、支持アーム２１は、互いに異なる剛性および／または互いに異なる弾性係数および／または互いに異なる固さを有するような構成であってもよく、および／または互いに異なる材料から作られてもよい。支持アームが設けられると、異なる抑制特徴は、スクリーンを通常の揺れ（ｎａｔｕｒａｌ  ｏｓｃｉｌｌａｔｉｏｎ）から保護するのに役立つだろう。
【００４２】
図２からわかるように、前記支持アーム２１は、スクリーンの外側から筐体の内側まで延在していてもよく、および／またはスクリーンを筐体に接続していてもよく、前記支持アーム２１は、搭状スクリーン５の上部分と底部分の間にある中央部分を支えていてもよい。
【００４３】
より特定的には、前記支持アーム２１は、スクリーンの中央部分を筐体に連結するスクリーンキャリアフープ２２の１つと接続してもよい。
【００４４】
図４からわかるように、前記支持アーム２１は、突張状アーム部材２３を備えていてもよく、これに対し、ダンパ２４が接続している。このようなダンパは、振動を抑制し、運動エネルギーを散逸するゴム様弾性材料から作られる少なくとも１つの抑制部材２５を備えていてもよい。図４からわかるように、複数の円板状ゴム部材が設けられ、ワッシャープレートによって互いに分割されていてもよく、一連の抑制部材２５は、例えば、支持アーム２１の長さを調節するように、アーム部材２３とネジ係合するネジ付きボルト２６を用いることによって、アーム部材２３の一端に接続していてもよい。
【００４５】
ダンパ２４に対向する他端で、支持アーム２１には、ピボットベアリング２８などのベアリングが設けられていてもよい。
【００４６】
図２からわかるように、支持アーム２１は、支持アーム２１がそれぞれスクリーン５に対して枢動可能であるように、前述のピボットベアリング２８を介し、スクリーンキャリアフープ２２に接続していてもよい。
【００４７】
一方、支持アーム２１は、上述のダンパ２４を用いることによって、筐体２の内側表面に対して支えられてもよく、このようなダンパ２４は、筐体２の内表面上に設けられる抑制受容器に接続していてもよい（図２を参照）。
【００４８】
共振の影響を回避するために、異なる支持アーム２１の抑制部材２５は、異なる材料から作られていてもよく、および／または支持アーム２１が異なる抑制特徴を有するように異なる寸法を有していてもよい。例えば、第１支持アーム２１は、一連の２つの抑制部材２５を備えていてもよく、一方、第２支持アーム２１は、一連の３つの抑制部材２５を備えていてもよい。
【００４９】
これに加えて、またはこれに代えて、支持アーム２１を異なる向きに取り付けることも可能である。例えば、第１支持アーム２１は、そのダンパ２４を用いてスクリーン３に取り付けられてもよく、一方、第２支持アーム２１は、そのダンパ２４を用いて筐体２に取り付けられてもよい。
【図１】
2019530846.tif 000003
【図２】
2019530846.tif 000004
【図３】
2019530846.tif 000005
【図４】
2019530846.tif 000006
【国際調査報告】
2019530846.tif 000007
2019530846.tif 000008